(57)【要約】【課題】取扱い性に優れるため、高齢者、子供などでも安心して使用できるとともに、狭小スペースにも上手く収納しうる折り畳みベッドを提供する。【解決手段】第１、第２のベッド枠体は、第１、第２の載置枠を受ける第１、第２の基枠と、該第１、第２の基枠に回動可能に取り付けられる支脚部とからなり、かつこの支脚部は前後にのびかつ両端に距離を隔ててキャスタを設けた台枠と、この台枠から立ち上がる支柱部を具え、かつその上端が前記第１、第２の基枠の各外端部分に枢支されるとともに、前記枢結部は、前記水平展開状態において、前記支脚部の下端と等しい高さの下端を有する中間脚部を具え、かつ前記第１のベッド枠体、第２のベッド枠体が非平行な逆Ｖ字状態の不完全折り畳み状態において、第１、第２のベッド枠体の折り畳みを阻止する角度規制手段を設けたことを特徴とする。【選択図】図１
0003124016.tif 000002
【実用新案登録請求の範囲】
【請求項１】
上半身を受けるマットの第１の載置枠を支持する第１のベッド枠体と、下半身を受けるマットの第２の載置枠を支持する第２のベッド枠体と、前記第１のベッド枠体、第２のベッド枠体の向き合う各内端間を継ぐ枢結部とを含み、第１のベッド枠体、および第２のベッド枠体が水平展開状態と逆Ｖ字状態との間で折れ曲がり可能に連結した折り畳みベッドであって、
前記第１、第２のベッド枠体は、前記第１、第２の載置枠を受ける第１、第２の基枠と、該第１、第２の基枠に回動可能に取り付けられる支脚部とからなり、
かつこの支脚部は前後にのびかつ両端に距離を隔ててキャスタを設けた台枠と、この台枠から立ち上がる支柱部を具え、かつその上端が前記第１、第２の基枠の各外端部分に枢支されるとともに、
前記枢結部は、前記水平展開状態において、前記支脚部の下端と等しい高さの下端を有する中間脚部を具え、
かつ前記第１のベッド枠体、第２のベッド枠体が非平行な逆Ｖ字状態の不完全折り畳み状態において、第１、第２のベッド枠体の折り畳みを阻止する角度規制手段を設けたことを特徴とする折り畳みベッド。
【請求項２】
前記角度規制手段は、前記中間脚部から各外向きにのび、折り曲げの際に、接近する第１のベッド枠体及び第２のベッド枠体の裏面に当接することにより、枠体間がなす角度を３゜〜１５゜の不完全折り畳み状態に維持する当接片であることを特徴とする請求項１記載の折り畳みベッド。
【請求項３】
前記台枠は、その外側端が水平展開状態の第１、第２の基枠の前、後端よりも内側、かつ不完全折り畳み状態の前記マットの外向き最大位置よりも内側に配置されることを特徴とする請求項１又は２記載の折り畳みベッド。
【請求項４】
前記第１の載置枠は、非傾動かつ就寝者の臀部を受ける臀支持枠部と、この臀支持部の前端部で、第１のベッド枠体に第１の枠体枢支点において枢着されるとともに上半身を受ける上半身支持枠部とを含み、
この上半身支持枠部を前記第１の枠体枢支点まわりに傾動させる第１の駆動器を、前記第１のベッド枠体に設けたことを特徴とする請求項１〜３のいずれかに記載の折り畳みベッド。
【請求項５】
前記第２の載置枠は、就寝者のももを受けかつ前端部が前記第２のベッド枠体に第２の枠体枢支点において枢着される第１の脚支持部と、前端部が該第１の脚支持部の後端部に折り曲げ可能に取り付けられ、かつ就寝者のふくらはぎを受ける第２の脚支持部とを含み、
前記第２の脚支持部と第２のベッド枠体とを、第１の脚支持部と略同長さのレバーにより接続して、前記レバー、前記第１の脚支持部、第２の脚支持部、及第２のベッド枠体によって平行クランク機構を形成するとともに、第２の脚支持部を平行に持上げる第２の駆動器を第２のベッド枠体に設けたことを特徴とする請求項１〜４のいずれかに記載の折り畳みベッド。
【請求項６】
前記水平展開状態、又は不完全折り畳み状態にある第１のベッド枠体、第２のベッド枠体の動作を阻止するロック手段を設けたことを特徴とする請求項１〜５のいずれかに記載の折畳みベッド。
【請求項７】
前記ロック手段は、挿通孔を有し第１又は第２のベッド枠体に形成された支持板と、前記挿通孔及び支脚部の支柱部に挿通する固定ピンとを具えることを特徴とする請求項６記載の折畳みベッド。
【考案の詳細な説明】
【技術分野】
【０００１】
本考案は、折り畳み状態での安定性及び安全性に優れるとともに、コンパクトに収納できる折り畳みベッドに関する。
【背景技術】
【０００２】
逆Ｖ字状に折り畳み可能な折り畳みベッドは、未使用時はコンパクトに収納できて、利便性が高いことから広く使用されている。本出願人は図１１に示すように、第１、第２のベッド枠体ａ、ａを回動可能に連結するとともに、この第１、第２のベッド枠体ａ、ａの両側部に、キャスタを取付けた水平部ｂ、及びこの水平部ｂの中央から上へのびる支柱部ｄからなる逆Ｔ字枠ｅを枢着した折り畳みベッドを提案している（例えば、特許文献１参照）。
【０００３】
この折り畳みベッドは、逆Ｔ字枠ｅによって支持されたまま、第１、第２のベッド枠体ａ、ａが回動することによって、ベッドとしての展開状態と、収納時の折り畳み状態とを変化可能に構成され、便利に取扱いできるものである。
【０００４】
【特許文献１】特開２００４−３５８２０３号公報
【考案の開示】
【考案が解決しようとする課題】
【０００５】
しかしながら、折り畳み状態の第１、第２のベッド枠体ａ、ａを安定して支持するために、逆Ｔ字枠ｅの水平部ｂを長く形成する必要がある。そのため展開状態において、水平部ｂの外側端がベッド枠体ａよりも、折り畳み方向へ距離Ｌａ食み出すとともに、折り畳み状態において、水平部ｂの外側端がマットの外向き最大位置よりも距離Ｌｂ食み出す結果を招き、歩行の邪魔になるとともに、家具の隙間など狭い空間へ収納出来ないなどの不具合を生じることがあり、更なる改善が求められていた。
【０００６】
本考案は、第１のベッド枠体、第２のベッド枠体が非平行な逆Ｖ字状態の不完全折り畳み状態において、第１、第２のベッド枠体の折り畳みを阻止する角度規制手段を設けることを基本とし、取扱い性に優れるため、高齢者、子供などでも安心して使用できるとともに、狭小スペースにも上手く収納しうる折り畳みベッドの提供を課題としている。
【課題を解決するための手段】
【０００７】
前記目的を達成するために、請求項１に係る考案では、上半身を受けるマットの第１の載置枠を支持する第１のベッド枠体と、下半身を受けるマットの第２の載置枠を支持する第２のベッド枠体と、前記第１のベッド枠体、第２のベッド枠体の向き合う各内端間を継ぐ枢結部とを含み、第１のベッド枠体、および第２のベッド枠体が水平展開状態と逆Ｖ字状態との間で折れ曲がり可能に連結した折り畳みベッドであって、前記第１、第２のベッド枠体は、前記第１、第２の載置枠を受ける第１、第２の基枠と、該第１、第２の基枠に回動可能に取り付けられる支脚部とからなり、かつこの支脚部は前後にのびかつ両端に距離を隔ててキャスタを設けた台枠と、この台枠から立ち上がる支柱部を具え、かつその上端が前記第１、第２の基枠の各外端部分に枢支されるとともに、前記枢結部は、前記水平展開状態において、前記支脚部の下端と等しい高さの下端を有する中間脚部を具え、かつ前記第１のベッド枠体、第２のベッド枠体が非平行な逆Ｖ字状態の不完全折り畳み状態において、第１、第２のベッド枠体の折り畳みを阻止する角度規制手段を設けたことを特徴とする。
【０００８】
請求項２に係る考案では、前記角度規制手段は、前記中間脚部から各外向きにのび、折り曲げの際に、接近する第１のベッド枠体及び第２のベッド枠体の裏面に当接することにより、枠体間がなす角度を３゜〜１５゜の不完全折り畳み状態に維持する当接片であり、請求項３に係る考案においは、前記台枠は、その外側端が、水平展開状態の第１、第２の基枠の前、後端よりも内側、かつ不完全折り畳み状態の前記マットの外向き最大位置よりも内側に配置されることを特徴とする。
【０００９】
請求項４に係る考案では、前記第１の載置枠は、非傾動かつ就寝者の臀部を受ける臀支持枠部と、この臀支持部の前端部で、第１のベッド枠体に第１の枠体枢支点において枢着されるとともに上半身を受ける上半身支持枠部とを含み、この上半身支持枠部を前記第１の枠体枢支点まわりに傾動させる第１の駆動器を、前記第１のベッド枠体に設けたことを特徴とする。
【００１０】
請求項５に係る考案では、前記第２の載置枠は、就寝者のももを受けかつ前端部が前記第２のベッド枠体に第２の枠体枢支点において枢着される第１の脚支持部と、前端部が該第１の脚支持部の後端部に折り曲げ可能に取り付けられ、かつ就寝者のふくらはぎを受ける第２の脚支持部とを含み、前記第２の脚支持部と第２のベッド枠体とを、第１の脚支持部と略同長さのレバーにより接続して、前記レバー、前記第１の脚支持部、第２の脚支持部、及第２のベッド枠体によって平行クランク機構を形成するとともに、第２の脚支持部を平行に持上げる第２の駆動器を第２のベッド枠体に設けたことを特徴とする。
【００１１】
請求項６に係る考案では、前記水平展開状態、又は不完全折り畳み状態にある第１のベッド枠体、第２のベッド枠体の動作を阻止するロック手段を設け、また請求項７に係る考案では、前記ロック手段は、挿通孔を有し第１又は第２のベッド枠体に形成された支持板と、前記挿通孔及び支脚部の支柱部に挿通する固定ピンとを具えることを特徴とする。
【考案の効果】
【００１２】
請求項１に係る考案においては、第１、第２のベッド枠体の折り畳みを阻止する角度規制手段を設けていることから、収納時などにおいて、第１のベッド枠体、及び第２のベッド枠体が、平行に重なり合う角度にまで折り畳まれることが阻止されて、互いに非平行な逆Ｖ字状態の不完全折り畳み状態に維持できる。従って、床面に対する接地巾が広く確保されることから、キャスタによる移動の際に段差を乗り越える時、或いは急に停止させる場合などでも、安定して直立姿勢を維持しうるため、取扱い性を向上できるとともに転倒による危険性がなくなり、高齢者、子供などでも安心して使用できる。
【００１３】
また折り畳み状態での直立安定性が得られることから支脚部を比較的コンパクトに形成することが可能となり、全体の軽量化を図ることができるとともにスマートな外観に形成できる。更には水平展開状態及び逆Ｖ字状態の何れにおいても、支脚部が外に食み出す割合が小さくなることから、これに足を引っ掛けて転倒したりすることが防止できるために安全性が一層高まり、或いは細長い隙間にも収納ができるため、使い勝手に優れる。
【００１４】
請求項２に係る考案のように、中間脚部から各外向きにのびて、折り曲げの際に、接近する第１のベッド枠体及び第２のベッド枠体の裏面に当接して不完全折り畳み状態を維持する当接片によって角度規制手段を形成すると、簡単な構成で折り畳み角度を確実に維持しうることから、折り畳み動作の高い信頼性が得られ、メンテナンスを殆ど必要としない。更に前記当接片によって、不完全折り畳み状態における枠体間の角度を３゜〜１５゜とすると、直立状態での高い安定性を維持できるとともに、折り畳み状態におけるコンパクト性を損なうことなく小さく収納できる。
【００１５】
請求項３に係る考案のように、台枠の外側端を、水平展開状態の第１、第２の基枠の前、後端よりも内側、かつ不完全折り畳み状態のマットの外向き最大位置よりも内側に配置すると、台枠の出っ張りがなくなることから躓きを防止できるとともに収納性を損なうこともなく、しかも折り畳み状態における安定性を損なうこともない。
【００１６】
請求項４に係る考案のように、臀支持部の前端部に上半身を受ける上半身支持枠部を枢着するとともに、この上半身支持枠部を傾動させる第１の駆動器を設けると、適度な傾きのリクライニング状態が得られることから、例えば読書、食事、音楽鑑賞などの際には、上半身支持枠部に凭れる楽な姿勢をとりながら、長時間の使用にも疲れを感じることなく快適に使用できる。
【００１７】
請求項５に係る考案のように、第２の載置枠に、レバー、第１の脚支持部、第２の脚支持部、及第２のベッド枠体によって平行クランク機構を形成するとともに、第２の脚支持部を平行に持上げる第２の駆動器を設けると、就寝者は下肢を適度な高さに支えることにより、足側から頭部に向けて高さを段階的に下降させた姿勢をとることができるため、足裏などの血流を心臓へと還流し易くなることから、血行が促進されて、疲労回復、健康増進効果が得られる。しかも前記の如く平行クランク機構を形成するため、構造が簡単となるとともに第２の脚支持部を滑らかに昇降動作できる。
【００１８】
請求項６に係る考案のように、水平展開状態、又は不完全折り畳み状態にある第１のベッド枠体、第２のベッド枠体の動作を阻止するロック手段を設けると、自重などにより独りでに水平展開状態に戻ろうとする力が作用しても、展開方向への動きが阻止されて、不完全折り畳み状態を維持できることから、安全性が確保できて信頼性に優れる。
【００１９】
請求項７に係る考案のように、挿通孔を有し第１又は第２のベッド枠体に形成された支持板と、前記挿通孔及び支脚部の支柱部に挿通する固定ピンとを具えたロック手段を設けると、不完全折り畳み状態にある第１のベッド枠体、第２のベッド枠体の展開動作が固定ピンによって確実に阻止されるとともに、固定ピンの挿入、引き抜きによってロック手段を簡単に操作できる。
【考案を実施するための最良の形態】
【００２０】
以下、本考案の実施の一形態を、図示例とともに説明する。図１に示すように、折り畳みベッド１は、前後に各々配される第１、第２のベッド枠体４、７と、この第１、第２のベッド枠体４、７の向き合う内端間を継ぐ枢結部８と、第１、第２のベッド枠体に支持される第１、第２の載置枠３、６と、第１、第２のベッド枠体４、７の折り畳みを阻止する角度規制手段１４とを具える。なお本明細書では、就寝者の上半身を支持する側を前、下半身を支持する側を後とする。
【００２１】
前記第１のベッド枠体４は、図１、２に示すように、第１の基枠４Ａと、この第１の基枠４Ａの前端部に巾方向に離れて取付けられる一対の支脚部９、９とからなる。前記第１の基枠４Ａは、平面視で矩形状或いはコ字状（本形態では、矩形状）に形成した外枠３１と、この外枠３１の内側で前後方向、巾方向にのびる補強材３２ａ、３２ｂとを一体に固着して形成される。前記補強材３２ａの前部の下面には、図５に示すように、支持板４０が垂下して形成される。また外枠３１は、実質的にベッド長さの略半分の長さ（例えば９００〜１０００mm）を有する。更に本形態の第１の基枠４Ａには、外枠３１の前端部から上にのびる宮板３３が取付けられるとともに、両側部に第１の基枠４Ａの側面を覆う化粧板３４が取付けられる。
【００２２】
前記支脚部９は、図５に示すように、前後にのびる台枠１１と、この台枠１１の中央から立ち上がる支柱部１２とを含んで逆Ｔ字状をなし、さらに台枠１１の前後端部にキャスタ１０が設けられる。なお前記支柱部１２は、上部に突起４２が突設されるとともに、受け孔４４を穿設している。前記補強材３２ａの支持板４０に挿通した支持軸４１（ボルト）を、支柱部１２上端部を軸着することにより、支脚部９が第１の基枠４Ａに回動可能に取付けられる。しかして図５（Ａ）に示すように、床面Ｆにキャスタ１０を載置して支持された支脚部９の突起４２が、前記支持板４０に係合することによって、第１の基枠４Ａは水平に支持される。また図５（Ｂ）に示すように、前記支持軸４１を支点として第１の基枠４Ａが回動し、突起４２が支持板４０の異なる箇所に係合することによって、第１の基枠４Ａは傾斜した姿勢で支持される。また一対の支脚部９、９の支柱部１２、１２間には、継ぎ棒５１が架け渡され、支脚部９、９を一体化している。
【００２３】
前記第２のベッド枠体７は、前記の第１のベッド枠体４と同様に構成され、第２の基枠７Ａと、この第２の基枠７Ａの後端部に取付けられる一対の支脚部９、９とからなる。そしてこの第２の基枠７Ａは、外枠３１の内側に補強材３２ａ、３２ｂを架け渡して形成され、本形態では、側面及び後面が化粧板３４によって覆われている。更には第１のベッド枠体４同様に、一対の支脚部９、９の支柱部１２、１２が、外枠３１の後端部に軸着されている。なお第１、第２の基枠４Ａ、７Ａに枢着される各一対の支脚部９、９は、ベッド巾方向に対して第２のベッド枠体７のものが外側に配置され、そのためベッドの折り畳み時に相互の干渉が防止されている。
【００２４】
前記枢結部８は、図３、４に示すように、ベッド巾方向に隔設される上開口溝型状の連結具３５、３５と、この連結具３５、３５間を継ぐ継ぎ軸３６と、この継ぎ軸３６から下へのびる一対の中間脚部１３、１３とからなる。前記連結具３５は、平行に立つフランジ３５Ｆ、３５Ｆを有し、このフランジ３５Ｆ、３５Ｆ間に、前記第１、第２の基枠４Ａ、７Ａの互いに向き合う内端部が挿入されるとともに、各々がフランジ３５Ｆ、３５Ｆ間架け渡されたピン３７によって枢支される。このようにして、第１のベッド枠体４と、第２のベッド枠体７とが、図６に示すような水平展開状態と、図７に示すような逆Ｖ字状態との間で、折れ曲がり可能に連結される。
【００２５】
前記中間脚部１３は、円柱状をなすとともに、下端部に円形の受板３８が設けられている。そして一対の中間脚部１３、１３の間には、中央で山型に折れ曲がり、その頂点が継ぎ軸３６に固着される継ぎ材３９が架け渡され、枢結部８を補強している。
【００２６】
前記第１の載置枠３は、図１に示すように、前記第１のベッド枠体４上に支持されて、上半身を受けるマット２が載置される。なおこのマットは、ウレタンフォーム、ポリエチレンフォームなどのスポンジを袋状のカバーで覆ったものが用いられる。また本形態の第１の載置枠３は、図８に示すように、就寝者の臀部を受ける臀支持枠部１６と、就寝者の上半身を受ける上半身支持枠部１８とからなり、前後に隔設された横長板４６を前後にのびる継ぎ木５０で連結してすのこ様に構成される。臀支持枠部１６は、第１のベッド枠体４の後部に固着され、上半身支持枠部１８は、臀支持枠部１６の前端部に配置された第１の枠体枢支点１７において枢着される。
【００２７】
本形態の第１のベッド枠体４は、第１の駆動器１９が取付けられ、この第１の駆動器１９としては、電動直線運動器１９Ａが好適に採用される。また本形態の電動直線運動器１９Ａは、電動機を含む本体部、及びボールネジ機構を用いて電動機の正転、逆転により本体部から伸び縮み自在に構成されたロッド４７を具えた電動式シリンダが例示される。そして、ロッド４７が上半身支持枠部１８の下端部下方にのびるアーム４８先端を押し引きすることにより、上半身支持枠部１８が第１の枠体枢支点１７を中心として傾動する。しかして図１０に示すように、第１の駆動器１９を駆動して上半身支持枠部１８を自在に傾動させることにより、例えば読書、食事、音楽鑑賞などの際に、各々の好適な傾きにリクライニングさせることによって、上半身支持枠部１８に凭れて楽な姿勢をとりながら、長時間の使用にも疲れを感じることなく快適に使用することができる。
【００２８】
前記第２の載置枠６は、第１の載置枠３同様、前記第２のベッド枠体７上に支持されて、下半身を受けるマット５が載置される。また本形態の第２の載置枠６は、図９に示すように、就寝者のももを受ける第１の脚支持部２１と、就寝者のふくらはぎを受ける第２の脚支持部２２とからなり、前記第１の載置枠３と同様、すのこ様に形成される。第１の脚支持部２１は、第２のベッド枠体７の前端部に第２の枠体枢支点２０において枢着され、この第１の脚支持部２１の後端部に、前記第２の脚支持部２２が折り曲げ可能に取り付けられる。
【００２９】
さらに第２の脚支持部２２の後部と第２のベッド枠体７との間には、第１の脚支持部２１と略同長さを有し、かつ平行に並ぶレバー２３が架け渡される。その結果、このレバー２３、第１、第２の脚支持部２２、及び第２のベッド枠体７によって平行クランク機構２４が形成される。
【００３０】
本形態の第２のベッド枠体７は、第１の駆動器１９と同様、電動直線運動器１９Ａからなる第２の駆動器２５が取り付けられる。そして、電動直線運動器１９Ａのロッド４７が第２の脚支持部２２の前部下方にのびるアーム４９先端を押し引きすることにより、第１の脚支持部２１とレバー２３とが平行を維持しつつ傾動するとともに、第２の脚支持部２２が水平状態を維持しつつ平行に昇降する。しかして図１０に示すように、就寝者は足側から頭部に向けて高さを段階的に下降させた姿勢をとることができるため、足裏などの血流を心臓へと還流し易くなる結果、血行が促進されて、疲労回復、健康増進の効果が得られる。しかも構造がシンプルな平行クランク機構２４を形成するため、第２の脚支持部２２を滑らかに昇降動作できる。
【００３１】
前記角度規制手段１４は、本形態では図３、４に示すように、前後を向いて中間脚部１３の中位に水平に取り付けられた横棒状の当接片１５を用いて構成される。この当接片１５は、前後長さが、例えば１５０〜５００ｍｍ程度、好ましくは２００〜３５０ｍｍ程度に形成される、しかもその前後端部が、逆Ｖ字状に折り畳まれる第１、第２のベッド枠体４、７の補強材３２ａの裏面に当接する位置に配置される。そのため第１、第２のベッド枠体４、７が折り畳まれる際に、当接片１５がつっかえ棒となることから、第１、第２のベッド枠体４、７が平行に重なり合う角度にまで折り畳まれることが阻止され、非平行な不完全折り畳み状態が維持される。従って図７に示すように、第１、第２のベッド枠体４、７は、床面に対する接地巾が広く維持されるため、キャスタ１０による移動の際に段差を乗り越える時、或いは急に停止させる場合などにおいても、安定して直立姿勢を維持できるため、取扱い性が向上するとともに転倒による危険性がなくなり、高齢者、子供などでも安心して使用できる。
【００３２】
また折り畳み状態での直立安定性が得られることから支脚部９を比較的コンパクトに形成することが可能となり、全体の軽量化を図ることができるとともにスマートな外観に形成できる。更には水平展開状態及び不完全折り畳み状態の何れにおいても、支脚部９の台枠１１の端部が外に食み出す割合が小さくなり、そのためこれに足を引っ掛けて転倒したりすることを防止できることから安全性が一層高まり、或いは細長い隙間にも収納ができるため、使い勝手に優れる。
【００３３】
しかも接近する第１のベッド枠体及び第２のベッド枠体の裏面に当接する当接片１５によって不完全折り畳み状態を維持できるため、簡単な構成によって折り畳み角度を確実に維持できることから、折り畳み動作の信頼性を向上できるとともに、メンテナンスを殆ど必要としない点で好ましい。
【００３４】
本形態では図７に示すように、当接片１５が補強材３２ａの裏面に当接することによって折り畳みを規制される第１、第２のベッド枠体４、７の枠体間の角度αが例えば、３°〜２０°程度、好ましくは７°〜１５°、本形態では１０°としている。３°未満では、不完全折り畳み状態における安定性が不足し、逆に２０°を超えると、不完全折り畳み状態におけるコンパクト性が損なわれて収納がやり難くなる。
【００３５】
前記の如く角度規制手段１４によって、折り畳み状態での安定性が向上することから、支脚部９の台枠１１を短く形成することが可能となる。そこで台枠１１の長さは、例えば、１５０〜４００ｍｍ程度、好ましくは１８０〜３００ｍｍに形成され、本形態では２２０ｍｍとしている。同時に本形態では、図６に示すように、水平展開状態において、台枠１１は外端部が、前記第１、第２の基枠４Ａ、７Ａの前、後端よりも内側に配置される。詳細には、台枠１１は外端部が、第１の基枠４Ａに取り付けられる宮板３３よりも距離Ｌ１内側（後方）に配置され、第２のベッド枠体７では、第２の基枠７Ａに取り付けられる化粧枠３４よりも距離Ｌ２内側（前方）に配置される。しかも図７に示すように、不完全折畳み状態において、台枠１１は外端部が、マットの外向き最大位置よりも折り畳み方向に距離Ｌ３内側に配置される。従って台枠１１の出っ張りがなくなることから、誤ってこれに躓くことを防止できるとともに狭い隙間へ収納することも可能であり、しかも折り畳み状態における安定性を損なうこともない。なお前記Ｌ１、Ｌ２、Ｌ３は各々０〜５０mmの範囲に形成される。
【００３６】
更に本形態では、図５（Ａ）（Ｂ）に示すように、前記第１のベッド枠体４の支持板４０に一対の挿通孔４５、４６が穿設され、しかもこの挿通孔４５、４６は、各々前記水平展開状態、不完全折り畳み状態において、前記支柱部１２の受け孔４４に合致する位置に配置される。そして、図５（Ａ）に示すように、挿通孔４５及び受け孔４４に棒状の固定ピン４３を挿通すると、水平展開状態にある第１、第２のベッド基枠４Ａ、７Ａの前、後端部に使用者が腰掛けるなどしても不意に折り畳まれることなく、水平展開状態を維持できる。又、図５（Ｂ）に示すように、挿通孔４６及び受け孔４４に固定ピン４３を挿通すると、前記不完全折り畳み状態にある第１のベッド枠体４が、自重、振動などの作用によって水平展開状態に戻ろうとする力が働いても、固定ピン４３によりその動きが阻止されて不完全折り畳み状態が維持されて、安全性を確保できる。しかも、固定ピン４３の挿入、引き抜き操作によって、簡単、かつ確実に水平展開状態、或いは不完全折り畳み状態を維持、解除できる点で好ましい。このように本形態では、挿通孔４５を設けた支持板４０と、支柱部１２の受け孔４４と、固定ピン４３とでロック手段２６が形成される。そしてこのロック手段２６は、第２のベッド枠体７に設けることもできる。
【００３７】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００３８】
【図１】本考案の一実施の形態を例示する分解斜視図である。
【図２】その平面図である。
【図３】その要部拡大斜視図である。
【図４】さらにその拡大斜視図である。
【図５】支脚部の斜視図であり、（Ａ）は展開状態を示し、（Ｂ）は不完全折り畳み状態を例示する。
【図６】展開状態の正面図である。
【図７】不完全折り畳み状態の正面図である。
【図８】第１のベッド枠体及び第１の載置枠を例示する正面図である。
【図９】第２のベッド枠体及び第２の載置枠を例示する正面図である。
【図１０】使用状態を例示する正面図である。
【図１１】従来例の正面図である。
【符号の説明】
【００３９】
１      折り畳みベッド
２      上半身を受けるマット
３      第１の載置枠
４      第１のベッド枠体
５      下半身を受けるマット
６      第２の載置枠
７      第２のベッド枠体
８      枢結部
９      支脚部
１０    キャスタ
１１    台枠
１２    支柱部
１３    中間脚部
１４    角度規制手段
１５    当接片
１６    臀支持枠部
１７    第１の枠体枢支点
１８    上半身支持枠部
１９    第１の駆動器
２０    第２の枠体枢支点
２１    第１の脚支持部
２２    第２の脚支持部
２３    レバー
２４    平行クランク機構
２５    第２の駆動器
２６    ロック手段
【図１】
0003124016.tif 000003
【図２】
0003124016.tif 000004
【図３】
0003124016.tif 000005
【図４】
0003124016.tif 000006
【図５】
0003124016.tif 000007
【図６】
0003124016.tif 000008
【図７】
0003124016.tif 000009
【図８】
0003124016.tif 000010
【図９】
0003124016.tif 000011
【図１０】
0003124016.tif 000012
【図１１】
0003124016.tif 000013